(57)【要約】【課題】字幕や文字スーパー等の字幕情報を簡単に半透明に変換すること。【解決手段】字幕デコーダ１９０では、符号解析部１９１ａがＴＳデコーダ１２０からの字幕情報を解析して制御情報と文字情報とに分け出力する。制御情報解析抽出部１９１ｂでは、字幕情報中の文字位置や色情報などの制御情報を解析し、色情報を字幕色変換部１９２へ出力する。字幕色変換部１９２では、字幕半透明化機能選択メニュー７００におけるユーザからの指令に基づき、半透明化が指示されている場合、半透明色変換テーブルメモリ１９３を参照して字幕情報の色情報である不透明色を半透明色に変換して、字幕情報表示制御部１９４へ出力する。字幕情報表示制御部１９４は、文字情報解析部１９１ｃにて解析された字幕情報中の文字コード等を、字幕色変換部１９２から指定された元の色、あるいは半透明色にて表示されるように出力する。【選択図】図２
2008005103.tif 000002
【特許請求の範囲】
【請求項１】
テレビ放送信号に含まれる字幕情報を解析し、その字幕情報の色情報を抽出する字幕情報解析抽出手段と、
前記字幕情報の不透明色と、その不透明色を半透明にした半透明色とを対応させた半透明色変換テーブルを予め記憶した半透明色変換メモリと、
ユーザにより前記字幕情報の半透明表示が指定された場合、前記半透明色変換テーブルを参照して、前記字幕情報解析抽出手段によって抽出された前記色情報に基づき前記字幕情報の不透明色を半透明色に変換する字幕色変換手段と、
前記字幕色変換手段によって半透明色に変換された前記字幕情報を表示する字幕情報表示制御手段と、
を有するテレビ放送受信装置。
【請求項２】
テレビ放送信号に含まれる字幕情報を解析し、その字幕情報の色情報中の色番号を抽出する字幕情報解析抽出手段と、
ユーザにより前記字幕情報の半透明表示が指定された場合、前記字幕情報解析抽出手段によって抽出された前記字幕情報の色情報中の色番号に所定の値をプラスして、前記字幕情報の不透明色を半透明色に変換する字幕色変換手段と、
前記字幕色変換手段によって半透明色に変換された前記字幕情報を表示する字幕情報表示制御手段と、
を有するテレビ放送受信装置。
【請求項３】
請求項１または請求項２記載のテレビ放送受信装置において、
前記字幕情報が文字部分と、その背景部分とからなる場合、
前記字幕色変換手段は、
ユーザにより前記字幕情報の半透明表示が指定された場合、前記字幕情報の文字部分とその背景部分の全てを色相はそのままで半透明色に変換するか、あるいは前記字幕情報の文字部分あるいはその背景部分の一方を色相はそのままで半透明色に変換する、テレビ放送受信装置。
【発明の詳細な説明】
【技術分野】
【０００１】
本発明は、字幕情報を映像に重ねて表示するテレビ放送受信装置に関する。
【背景技術】
【０００２】
従来、字幕提示機能を有するＴＶ放送受信装置において、字幕を提示する際のフォーマットを変更できるようにしたものがあり、選択可能な字幕フォーマットとして、下記の項目を挙げている。
１．フォントタイプ(ゴシック体・明朝体など)
２．フォントサイズ(あらかじめ項目化された、数種類のフォントサイズ)
３．フォントカラー(文字色および背景色)
４．エッジ色(文字縁取り部分の色。いわゆる中間色)
５．上記フォントカラー、エッジ色の透明度
【０００３】
これらの項目について、ユーザに対し選択可能な項目を複数用意し、自由なフォーマットにて字幕が出力されるような調整を可能としている（例えば、特許文献１参照）。
【特許文献１】特開平２００６−４１７４９号公報
【発明の開示】
【発明が解決しようとする課題】
【０００４】
しかし、上記の特許文献１に記載の従来技術では、ユーザが色の半透明度選択を行った場合、透明度の変更と共に他の各項目（色、フォント）を考慮、調整する必要があり、ユーザの設定作業が冗長になるおそれがある、という問題がある。
【０００５】
また、透明度の変更パターンはそれまでの選択結果に依存し、色情報の再計算処理が必要になるか、または多くの色情報をあらかじめ用意・管理しなければならず、放送局が意識的に文字色を分けているような場合も、全て設定した色（同じ色）で表示されてしまう、という問題もある。
【０００６】
そこで、本発明は、テレビ画面に表示される字幕や文字スーパー等を簡単に半透明に変換することができるデジタル放送受信装置を提供することを目的とする。
【課題を解決するための手段】
【０００７】
上記目的を達成するため、本発明のテレビ放送受信装置では、テレビ放送信号に含まれる字幕情報を解析し、その字幕情報の色情報を抽出する字幕情報解析抽出手段と、前記字幕情報の不透明色と、その不透明色を半透明にした半透明色とを対応させた半透明色変換テーブルを予め記憶した半透明色変換メモリと、ユーザにより前記字幕情報の半透明表示が指定された場合、前記半透明色変換テーブルを参照して、前記字幕情報解析抽出手段によって抽出された前記色情報に基づき前記字幕情報の不透明色を半透明色に変換する字幕色変換手段と、前記字幕色変換手段によって半透明色に変換された前記字幕情報を表示する字幕情報表示制御手段と、を有するものである。
【０００８】
また、本発明の別のテレビ放送受信装置では、テレビ放送信号に含まれる字幕情報を解析し、その字幕情報の色情報中の色番号を抽出する字幕情報解析抽出手段と、ユーザにより前記字幕情報の半透明表示が指定された場合、前記字幕情報解析抽出手段によって抽出された前記字幕情報の色情報中の色番号に所定の値をプラスして、前記字幕情報の不透明色を半透明色に変換する字幕色変換手段と、前記字幕色変換手段によって半透明色に変換された前記字幕情報を表示する字幕情報表示制御手段と、を有するものである。
【０００９】
なお、上記テレビ放送受信装置において、前記字幕情報が文字部分と、その背景部分とからなる場合、前記字幕色変換手段は、ユーザにより前記字幕情報の半透明表示が指定された場合、前記字幕情報の文字部分とその背景部分の全てを色相はそのままで半透明色に変換するか、あるいは前記字幕情報の文字部分あるいはその背景部分の一方を色相はそのままで半透明色に変換する、ようにしても勿論よい。
【発明の効果】
【００１０】
本発明のデジタル放送受信装置によれば、ユーザにより字幕情報の表示形式として半透明表示が選択された場合、半透明色変換テーブルに基づいて字幕情報の不透明色は色相はそのままで半透明色に変換したり、あるいは字幕情報の色情報中の色番号に所定の値をプラスして字幕情報を色相はそのままで半透明色に変換してモニタに表示するので、字幕情報を簡単に半透明色に変換することができる。
【発明を実施するための最良の形態】
【００１１】
以下、図面を参照して、本発明の実施の形態を詳述する。
実施の形態１
【００１２】
図１は、本発明に係るテレビ放送受信装置の実施の形態１の構成例を示すブロック図である。
【００１３】
図１において、このテレビ放送受信装置は、アンテナ１００と、チューナー／復調部１１０と、ＴＳデコーダ１２０と、ＣＰＵ１３０と、メモリ１４０と、リモコン１５０と、リモコン受信部１６０と、音声デコーダ１７０と、映像デコーダ１８０と、字幕デコーダ１９０と、音声制御部２００と、表示制御部２１０を有している。
【００１４】
図２は、本実施の形態１の字幕デコーダ１９０の構成例を示すブロック図である。
【００１５】
図２において、字幕デコーダ１９０は、本発明の字幕情報解析抽出手段としての字幕情報解析抽出部１９１と、字幕色変換手段としての字幕色変換部１９２と、半透明色変換テーブル４００を記憶した半透明色変換テーブルメモリ１９３と、字幕情報表示制御手段としての字幕情報表示制御部１９４とを有しており、字幕情報解析抽出部１９１は、符号解析部１９１ａと、制御情報解析抽出部１９１ｂと、文字情報解析部１９１ｃとから構成されている。
【００１６】
本実施の形態１の字幕色変換部１９２は、後述するように、ユーザによる字幕半透明化機能選択メニュー７００からの字幕表示指令により、字幕情報の表示形式として半透明表示が指定された場合、半透明色変換テーブルメモリ１９３に記憶された半透明色変換テーブル４００を参照して字幕情報をモニタに半透明表示する。
【００１７】
図３は、本実施の形態１により映像上に表示される字幕情報の一例を示している。
【００１８】
図３は、“あ”という字幕情報３００の一例を示している。この“あ”の文字の字幕情報３００では、ある文字色の“あ”という文字部分３１０と、“あ”の文字部分周囲の文字色に近い背景との中間色である前中間部分３２０、前中間部分３２０の周囲で背景色に近い文字色との中間色である背中間部分３３０、そして背景色の背景部分３４０とから構成されている。なお、この字幕情報３００は一例であり、字幕情報３００を、文字部分３１０と、背景部分３４０とのみから構成するようにしても勿論よい。また、前中間部分３２０は、文字部分３１０に含まれ、背中間部分３３０は、背景部分３４０に含まれるように考えても勿論よい。
【００１９】
ここで、本実施の形態１において字幕情報とは、字幕や文字スーパーのことであり、ＡＲＩＢ（社団法人電波産業会）規格に制定された、放送映像に重ねて表示される文字の総称である。ここで、字幕は、番組内容に同期した内容（ドラマの台詞、解説など）、文字スーパーは、番組とは同期しない内容（地震速報、その他緊急放送など）と定められている。また、その運用性質上、字幕は放送時計と同期、文字スーパーは非同期で表示を行う場合が多い。その他の運用規定は、両者ともほぼ同じである。また、字幕情報である字幕及び文字スーパーにおいて、放送局が指定可能な文字色は、図３に示すように４色、すなわち文字部分３１０、前中間部分３２０、背中間部分３３０、背景部分３４０としている。
【００２０】
また、デジタル放送の字幕情報である字幕および文字スーパーは、デジタル放送規格（ＡＲＩＢ）により規定された受信装置共通の１２８色を使用して表示され、文字色（フォント色）、前中間色、背中間色（エッジ色）、背景色の計４色の色番号をそれぞれこの１２８色の中から放送局側が指定する形を取る。この受信装置共通１２８色は、全てのデジタル放送受信装置において搭載が定められているものである。この１２８色の構成は、前半６４色の不透明色、後半６４色の半透明色となっており、前半６４色の透明度を示すα値を半分、即ち半透明にした色が後半６４色に配置されている。
【００２１】
正確には、前半の不透明色は色番号０〜６４番までの計６５色あり、色番号８番には特別色として完全透明色が配置されている。よって８番を除いた前半の不透明色６４色に対して後半は６３色分しか領域を取れず、結果、色番号６４番色に対する半透明は規格上から除かれている。
【００２２】
このようにして、字幕情報３００毎に色を指定することにより、ある放送局のドラマ番組では、主登場人物、副登場人物、ナレーションを黄色、緑、白というように分ける事によって誰の台詞かを明確にしている。
【００２３】
本実施の形態１では、前半６４色の不透明色で字幕または文字スーパー等の字幕情報の表示を行うような指定の場合に、ユーザの希望に応じて後半の半透明色に色を変換し、半透明色での表示を行うことを特徴とする。
【００２４】
図４（ａ），（ｂ）は、それぞれ、詳細または簡略化して半透明色変換テーブルの内容を示す図である。
【００２５】
つまり、図４（ａ）に示すように、半透明色変換テーブル４００は、透明色でない複数の変換対象色と、その複数の変換対象色それぞれを半透明色にした変換先色とを予め対応させたもので、字幕色変換部１９２には、複数の変換対象色の色番号と、ＲＧＢ値と、透明度を示すα値とが、その色番号順に０〜６４まで並べて格納されている。
【００２６】
また、複数の変換対象色のそれぞれに対応し、各変換対象色それぞれを半透明色にした変換先色の色番号と、ＲＧＢ値と、α値とが、その色番号順に６５〜１２７まで並べて対応して格納されている。
【００２７】
なお、変換対象色の色番号と、各変換対象色それぞれを半透明色にした変換先色とは、ＡＲＩＢ（社団法人電波産業会）規格に制定された０〜１２７の色番号順に並べられており、色番号０〜７までは変換対象色の色番号に６５をプラスすると、各変換対象色の色相はそのままでそれぞれを半透明色にした、すなわちＲＧＢ値は同じで、α値が完全不透明のｆｆから半透明の８０に変換された色に変換される。
【００２８】
そして、半透明色変換テーブル４００における色番号８は、ＡＲＩＢ（社団法人電波産業会）規格により、ＲＧＢ値は黒すなわち色のない００００００で、α値は完全透明を示す０、すなわち色のない完全透明を示しており、この場合には、対応する半透明色はないので、半透明色変換テーブル４００における対応する欄には、何も入っていない。
【００２９】
そして、半透明色変換テーブル４００における色番号９〜６３までの色は、その色番号に６４をプラスすると、色相がそのまま、すなわちＲＧＢ値が同じで、α値が完全不透明のｆｆから半透明の８０に変換された色に変換される。
【００３０】
最後に、半透明色変換テーブル４００における色番号６４には、この色と同じ色相の半透明色が規格から外れて決められていないので、図４（ａ）に示すように色番号１２７の半透明色により代用するか、あるいはＲＧＢ値がｆｆｆｆａａで、α値がその半透明の８０の半透明色を新たに設定するようにしても勿論よい。
【００３１】
図４（ｂ）は、半透明色変換テーブル４００の内容を簡単に示すものであり、色名を付加している。例えば、色番号１は、色名が黒で、ＲＧＢ値は００００００、α値は完全不透明のｆｆである一方、黒に対応する半透明色である半透明黒は、色番号が黒の０に６５をプラスして色番号６５、ＲＧＢ値は００００００、α値は半透明の８０となり、次の色番号１は、色名が赤で、ＲＧＢ値はｆｆ００００、α値は完全不透明のｆｆである一方、その赤に対応する半透明色である半透明赤は、色番号が赤の１に６５をプラスして色番号６６、ＲＧＢ値はｆｆ００００、α値は半透明の８０となる。同様に、色番号２の緑や、色番号３の黄、色番号４の青も同様で、同様のことが図４（ａ）の半透明色変換テーブル４００に示すように色番号７の色まで言える。
【００３２】
このように、本実施の形態１によれば、半透明色変換テーブル４００を参照することにより、字幕情報ＲＧＢ値、すなわち色相を保持したまま簡単に半透明化に変換することができ、簡潔なインターフェースにてユーザに字幕及び文字スーパーの半透明化機能を提供することが可能となる。なお、本実施の形態１では、半透明色変換テーブル４００により、色相であるＲＧＢ値を変えずに、α値を不透明のｆｆから半透明の８０に変換するように説明しているが、本発明ではこれに限らず、不透明色から半透明色に変える際に、色相であるＲＧＢ値が若干変更されるように半透明色変換テーブル４００を設定しても良いし、さらにはα値を不透明のｆｆから完全な半透明の８０ではなく、α値を６０、７０、８０、…等と透明度を変更して半透明色変換テーブル４００を設定するようにしても勿論よい。
【００３３】
図５は、リモコン１５０の概観の一例を示す図である。
【００３４】
図５において、このリモコン１５０は、各種カーソルキー、すなわち決定キー１５１、左カーソルキー１５２、上カーソルキー１５３、右カーソルキー１５４、下カーソルキー１５５と、後述する字幕半透明化機能選択メニュー７００を表示するための字幕選択キー１５６とを有している。
【００３５】
次に本実施の形態１の動作を説明する。
【００３６】
本実施の形態１のテレビ放送受信装置では、図１に示すように、まず、チューナ／復調器１１０がアンテナ１００を介しデジタル放送信号を受信すると、受信したデジタル信号の復調を行い、ＭＰＥＧ２ＴＳに変換して、ＴＳデコーダ１２０に出力する。ＴＳデコーダ１２０は、このＭＰＥＧ２ＴＳをＴＳパケットに分割し、各ＴＳパケットの識別子に従い音声デコーダ１７０、映像デコーダ１８０、字幕デコーダ１９０に振り分けて出力する。
【００３７】
図６は、本実施の形態１のテレビ放送受信装置が受信するデジタル放送信号のシンタックス例を示している。
【００３８】
図６に示すように、本実施の形態１のテレビ放送受信装置が受信するデジタル放送信号は、ＭＰＥＧ２ＴＳのシンタックスから構成されており、独立ＰＥＳ（Packetized Elementarty Stream）パケット中の字幕・スーパー用ＰＥＳのＰＥＳデータとして、時計同期型の字幕情報である字幕データ、時計非同期型の字幕情報である文字スーパーデータが格納される。
【００３９】
PES headerのstream  idが0xbdの場合、時計同期型の字幕情報である字幕データであり、PES headerのstream  idが0xbfの場合、時計非同期型の字幕情報である文字スーパーデータが格納される
【００４０】
時計同期型の字幕データ、時計非同期型の文字スーパーデータのＰＥＳデータ共に、ヘッダと、データグループデータ、ＣＲＣ１６ビットとからなり、データグループデータは、言語情報や書式情報などとＮ個のデータユニットが、また言語やリンク情報とＮ個のータユニットがとからなり、字幕管理データまたは字幕分データを構成している。そして、各データユニットは、ユニット識別子と、データユニットデータとから構成されている。
【００４１】
データユニットデータの内容は、図６に示すように、字幕情報の文字位置やサイズ情報、文字色色番号やＲＧＢ値、α値により（図４参照）を指定する色情報、文字間隔や行間隔指定情報等の８単位符号により示した制御情報と、字幕本文の文字コードを８単位符号により示した文字情報と、ＡＲＩＢ規格にない文字、例えば特殊記号等をビットマップイメージにより示した外字情報等を有している。
【００４２】
なお、制御情報は、図２に示す字幕デコーダ１９０内の制御情報解析抽出部１９１ｂにて解析され抽出される一方、それ以外の文字情報と外字情報等は、字幕デコーダ１９０内の文字情報解析部１９１ｃにて解析され抽出される。
【００４３】
図１に戻り動作を説明すると、音声デコーダ１７０、映像デコーダ１８０、字幕デコーダ１９０は、それぞれ、メモリ１４０を使用して、適切なデコードを行った後、音声制御部２００、表示制御部２１０を介してそれぞれスピーカーやモニタ等の出力機器に映像データ、音声データを出力し、映像コンテンツ、音声コンテンツとしてモニタやスピーカーから出力する。
【００４４】
ここで、ユーザからの選局や各種サービスの設定要求はリモコン１５０等により行われ、リモコン１５０からの赤外線をリモコン受信部１６０が受信して、ユーザからの各種設定要求を受け取る。各種サービスに関する画面表示は、映像や字幕のデコード結果と合成してモニタに出力される。なお、ＣＰＵ１３０は、テレビ放送受信装置内の各部の動作を制御するものとする。
【００４５】
次に、字幕デコーダ１９０内の動作を説明する。
【００４６】
字幕デコーダ１９０内では、図２に示すように、まず、符号解析部１９１ａがＴＳデコーダ１２０からの字幕情報を解析して制御情報と文字情報とに分け、それぞれ、制御情報解析抽出部１９１ｂ、文字情報解析部１９１ｃへ出力する。制御情報解析抽出部１９１ｂでは、字幕情報中の文字位置や、サイズ指定、文字色指定などの制御情報（図５参照）を解析する一方、文字情報解析部１９１ｃは、字幕情報中の文字コードや外字情報等（図５参照）を解析する。
【００４７】
そして、制御情報解析抽出部１９１ｂは、制御情報から解析した色情報を、字幕色変換部１９２へ出力する。
【００４８】
字幕色変換部１９２は、モニタに表示された字幕半透明化機能選択メニュー７００等におけるユーザからの指令に基づき、半透明化が指示されている場合には、図４に示す半透明色変換テーブル４００を参照して、字幕情報の色情報である不透明色を半透明色に変換して、字幕情報表示制御部１９４へ出力する。なお、本実施の形態１では、字幕半透明化機能選択メニュー７００等におけるユーザからの半透明化指令として、字幕情報全てを半透明化する指令と、字幕情報のうち背景部分のみを半透明化する指令の２つがあり、それぞれ、後述する図８、図９のフローチャートに従って半透明化変換処理を行う。
【００４９】
なお、字幕半透明化機能選択メニュー７００等におけるユーザからの指令に基づき、半透明化が指示されていない場合は、字幕情報の色情報である不透明色を半透明色に変換せずに、そのままの色で字幕情報表示制御部１９４へ出力する。
【００５０】
すると、字幕情報表示制御部１９４は、文字情報解析部１９１ｃにて解析された字幕情報中の文字コード等を、字幕色変換部１９２から指定された元の色、あるいは半透明色にて表示されるよう表示制御部２１０へ出力する。
【００５１】
表示制御部２１０は、文字情報解析部１９１ｃにて解析された字幕情報中の文字コード等を、字幕色変換部１９２から指定された元の色、あるいは半透明色にて、映像デコーダ１８０によって復号した映像情報上に重ねて表示する。
【００５２】
図７は、モニタに表示される字幕半透明化機能選択メニュー７００の一例を示している。
【００５３】
この字幕半透明化機能選択メニュー７００は、図５に示すリモコン１５０の字幕選択キー１５６が押された際にモニタ上に表示されるメニューで、リモコン１５０の上カーソルキー１５３、下カーソルキー１５５により、字幕メニュー７１０上の“日本語”、“英語”、“字幕切り”を選択し、決定キー１５１を押すことにより決定できる。
【００５４】
ここで、“日本語”、“英語”にカーソルを合わせた状態で、右カーソルキー１５４や左カーソルキー１５２を押下すると、サブメニューとして半透明表示メニュー７２０がＯＳＤとして表示される。この半透明表示メニュー７２０の“ＯＮ”または“背景のみ”を選択することにより、字幕情報全ての半透明表示、または字幕情報のうち背景部分のみの半透明表示を選択することができる。なお、この半透明表示メニュー７２０にて、“ＯＦＦ”を選択した場合は、字幕情報の半透明化処理はなされず、元の色のままで表示されることになる。
【００５５】
図８は、字幕半透明化機能選択メニュー７００の半透明表示メニュー７２０にて、半透明表示の“ＯＮ”が選択された場合における字幕色変換部１９２の半透明変換処理を示している。
【００５６】
この場合、字幕色変換部１９２は、まず、字幕半透明化機能選択メニュー７００によるユーザからの指令または設定を取得し（Ｓ８００）、字幕半透明化機能選択メニュー７００の半透明表示メニュー７２０にて、半透明表示の“ＯＮ”選択さているか否かを判断する（Ｓ８１０）。
【００５７】
そして、“ＯＮ”が選択されている場合（Ｓ８１０“ＹＥＳ”）、字幕色変換部１９２は、以下のようにして、文字情報３００の文字部分３１０、前中間部分３２０、背中間部分３３０、背景部分３４０の順に半透明色に変換する。
【００５８】
つまり、続いて文字部分３１０が不透明か否かを判断し（Ｓ８２０）、文字部分３１０が不透明であれば（Ｓ８２０“ＹＥＳ”）、文字部分３１０を図４に示す半透明変換テーブル１９５を参照して、色番号を元に文字部分３１０に対応する半透明色に変換する（Ｓ８２５）。つまり、字幕色変換部１９２は、色番号が０〜７の不透明色であれば、その色番号に６５をプラスして対応する半透明色に変換する一方、色番号が９〜６３の不透明色であれば、その色番号に６４をプラスして対応する半透明色に変換する。
【００５９】
同様に、続いて前中間部分３２０が不透明か否かを判断し（Ｓ８３０）、前中間部分３２０が不透明であれば（Ｓ８３０“ＹＥＳ”）、字幕色変換部１９２は、前中間部分３２０を図４に示す半透明変換テーブル１９５を参照して、色番号を元に前中間部分３２０に対応する半透明色に変換する（Ｓ８３５）。
【００６０】
同様に、背中間部分３３０についても不透明か否かを判断し（Ｓ８４０）、背中間部分３３０が不透明であれば（Ｓ８４０“ＹＥＳ”）、字幕色変換部１９２は、背中間部分３３０を図４に示す半透明変換テーブル１９５を参照して、色番号を元に背中間部分３３０に対応する半透明色に変換し（Ｓ８４５）、続いて背景部分３４０についても不透明か否かを判断し（Ｓ８５０）、背景部分３４０が不透明であれば（Ｓ８５０“ＹＥＳ”）、背景部分３４０を図４に示す半透明変換テーブル１９５を参照して、色番号を元に背景部分３４０に対応する半透明色に変換する（Ｓ８５５）。
【００６１】
以上のようにして、字幕色変換部１９２は、文字情報３００の文字部分３１０、前中間部分３２０、背中間部分３３０、背景部分３４０が不透明であれば半透明色に変換し（Ｓ８２０〜Ｓ８５５）、それら変換した半透明色を字幕情報表示制御部１９４へ出力する。すると、字幕情報表示制御部１９４は、字幕半透明化機能選択メニュー７００におけるユーザの選択に従い、字幕色変換部１９２にて半透明色に変換された文字情報３００の文字部分３１０、前中間部分３２０、背中間部分３３０、背景部分３４０を描画することになる。
【００６２】
図９は、字幕半透明化機能選択メニュー７００の半透明表示メニュー７２０にて、半透明表示の“背景のみ”が選択された場合における字幕色変換部１９２の半透明変換処理を示している。
【００６３】
この場合、字幕色変換部１９２は、まず、字幕半透明化機能選択メニュー７００によるユーザからの指令または設定を取得し（Ｓ９００）、字幕半透明化機能選択メニュー７００の半透明表示メニュー７２０にて、“背景のみ”が選択されているか否かを判断する（Ｓ９１０）。
【００６４】
そして、“背景のみ”が選択されている場合（Ｓ９１０“ＹＥＳ”）、字幕色変換部１９２は、続いて背景部分３４０が不透明か否かを判断し（Ｓ９２０）、背景部分３４０が不透明であれば（Ｓ９２０“ＹＥＳ”）、背景部分３４０を図４に示す半透明変換テーブル１９５を参照して、色番号を元に背景部分３４０に対応する半透明色に変換する（Ｓ９２５）。そして、変換した半透明色は字幕情報表示制御部１９４へ出力され、字幕情報表示制御部１９４は、字幕色変換部にて半透明色に変換された文字情報３００の背景部分３４０のみを透明色により描画することになる。
【００６５】
つまり、字幕半透明化機能選択メニュー７００の半透明表示メニュー７２０にて、“背景のみ”が選択された場合、背景部分３４０のみが透明色に変換され、その他の文字部分３１０、前中間部分３２０、背中間部分３３０はそのままの色で描画されることになる。
【００６６】
図１０は、字幕半透明化機能選択メニュー７００の半透明表示メニュー７２０にて、“ＯＦＦ”が選択された場合のモニタ表示画面の一例を示している。
【００６７】
このモニタ表示画面１０００では、静止画や動画の映像上に、字幕情報１０１０の文字部分３１０、前中間部分３２０、背中間部分３３０、背景部分３４０がそのまま不透明色で表示されている。
【００６８】
図１１は、字幕半透明化機能選択メニュー７００の半透明表示メニュー７２０にて、“ＯＮ”が選択された場合のモニタ表示画面の一例を示している。
【００６９】
このモニタ表示画面１１００では、静止画や動画の映像上に、字幕情報１１１０の文字部分３１０、前中間部分３２０、背中間部分３３０、背景部分３４０の全てが半透明に変換されて表示されている。なお、このモニタ表示画面１１００は、図８に示す通常の半透明処理が行われた場合に表示される画面である。
【００７０】
図１１は、字幕半透明化機能選択メニュー７００の半透明表示メニュー７２０にて、“背景のみ”が選択された場合のモニタ表示画面の一例を示している。
【００７１】
このモニタ表示画面１２００では、静止画や動画の映像上に、字幕情報１１１０の背景部分３４０のみが半透明に変換されて表示された画面の一例を示しており、字幕情報１１１０の文字部分３１０、前中間部分３２０、背中間部分３３０はもとの不透明色により表示されている。なお、このモニタ表示画面１２００は、図９に示す背景のみの半透明処理が行われた場合に表示される画面である。
【００７２】
このように、本実施の形態１のデジタル放送受信装置によれば、ユーザによって字幕情報の表示形式として半透明表示が選択された場合、半透明色変換テーブル４００に基づいて字幕情報がモニタに半透明表示されるので、テレビ画面に表示される字幕や文字スーパー等の字幕情報を簡単に半透明に変換することができる。
【００７３】
その結果、従来であれば、字幕や文字スーパー等の字幕情報が映像上に表示された場合、その字幕及び文字スーパー等の字幕情報によりその背景部分の映像が隠れてしまうが、本実施の形態１のデジタル放送受信装置によれば、この半透明化機能をユーザに対して字幕半透明化機能選択メニュー７００という明瞭な形で選択肢を提示して、ユーザの設定に応じて字幕や文字スーパー等の字幕情報全てを、あるいは背景色部分などの一部分を色相を保ったまま半透明化することができる。
【００７４】
また、本実施の形態１のデジタル放送受信装置によれば、字幕情報を半透明化する場合でも、字幕半透明化機能選択メニュー７００ｂによるユーザの設定により字幕情報３００の文字部分３１０、前中間部分３２０、背中間部分３３０、背景部分３４０の全てを半透明化したり、あるいは字幕情報３００の背景部分３４０のみを半透明化して表示することができるので、ユーザの嗜好に合致した字幕情報３００の半透明化を簡単に実現することができる。
【００７５】
なお、本実施の形態１においては、半透明化する場合でも、字幕情報３００の文字部分３１０、前中間部分３２０、背中間部分３３０、背景部分３４０の全てを半透明化するか、あるいは字幕情報３００の背景部分３４０のみを半透明化するように説明したが、本発明では、これに限らず、半透明表示の“ＯＦＦ”と“ＯＮ”の２つのモードみでも良いし、背中間部分３３０および背景部分３４０のみを半透明化したり、さらには、字幕情報３００の文字部分３１０のみを半透明化するようにしてもよいし、字幕情報３００の文字部分３１０、前中間部分３２０、背中間部分３３０、背景部分３４０のどの部分を半透明化するかユーザが任意に設定できるようにしても勿論良い。
【００７６】
また、本実施の形態１においては、字幕半透明化機能選択メニュー７００は、リモコン１５０の字幕選択キーを押した場合に表示されるように説明したが、本発明では、テレビの初期設定時に表示されるようにして、初期設定時に選択させるようにしても良いし、さらには、放送番組のニュースや、映画、ドラマ等のジャンル毎に字幕半透明化機能選択メニュー７００が表示されたり、字幕半透明化機能選択メニュー７００にてニュースや、映画、ドラマ等のジャンル毎に半透明化指令を設定できるようにして、番組のジャンル毎に字幕情報の半透明化を本実施の形態１のように設定できるようにしても勿論よい。
【００７７】
実施の形態２．
上記実施の形態１では、図２に示すように、字幕デコーダ１９０が半透明色変換テーブル１９３を有し、そこに図４に示すような半透明色変換テーブル４００を格納して、半透明色変換テーブル４００を参照し、不透明色の字幕情報を半透明色に変換するように説明したが、この実施の形態２では、図１３に示すように、字幕デコーダ１９０が半透明色変換テーブル１９３を持たず、すなわち半透明色変換テーブル４００を使用せずに、透明色の字幕情報を半透明色に変換するようにしている。
【００７８】
つまり、本実施の形態２の字幕色変換部１９５は、半透明色に変換をする場合、不透明色の字幕情報の色情報中の色番号に基づいて、その色番号が０〜７であれば、その色番号に６５をプラスする一方、その色番号が９〜６３であれば、その色番号に６４をプラスするというように、不透明色の字幕情報を半透明色に変換するようにしても勿論よい。勿論、実施の形態1のところで説明したように、色番号にプラスする数を６０や７０等の６４や６５以外の所定の値にして、字幕情報のα値を不透明色から不完全な半透明に変更するようにしても勿論よい。
【００７９】
このようにしても、本実施の形態２のデジタル放送受信装置によれば、ユーザによって字幕情報の表示形式として半透明表示が選択された場合、字幕情報の色情報中の色番号に基づいて簡単に不透明色の字幕情報が半透明色に変換して表示されるので、上記実施の形態１の場合と同様に、テレビ画面に表示される字幕や文字スーパー等の字幕情報を簡単に半透明に変換することができる。
【図面の簡単な説明】
【００８０】
【図１】本発明に係るテレビ放送受信装置の実施の形態１の構成例を示すブロック図である。
【図２】本実施の形態１の字幕デコーダ１９０の構成例を示すブロック図である。
【図４】（ａ），（ｂ）それぞれ、詳細または簡略化して半透明色変換テーブル４００の内容を示す図である。
【図５】リモコン１５０の概観の一例を示す図である。
【図６】本実施の形態１のテレビ放送受信装置が受信するデジタル放送信号のシンタックス例を示す説明図である。
【図７】モニタに表示される字幕半透明化機能選択メニュー７００の一例を示す図である。
【図３】本実施の形態１により映像上に表示される字幕情報の一例を示している。
【図８】字幕半透明化機能選択メニュー７００の半透明表示メニュー７２０にて、半透明表示の“ＯＮ”が選択された場合における字幕色変換部１９２の半透明変換処理を示すフローチャートである。
【図９】字幕半透明化機能選択メニュー７００の半透明表示メニュー７２０にて、半透明表示の“背景のみ”が選択された場合における字幕色変換部１９２の半透明変換処理を示すフローチャートである。
【図１０】字幕半透明化機能選択メニュー７００の半透明表示メニュー７２０にて、“ＯＦＦ”が選択された場合のモニタ表示画面の一例を示す図である。
【図１１】字幕半透明化機能選択メニュー７００の半透明表示メニュー７２０にて、“ＯＮ”が選択された場合のモニタ表示画面の一例を示す図である。
【図１２】字幕半透明化機能選択メニュー７００の半透明表示メニュー７２０にて、“背景のみ”が選択された場合のモニタ表示画面の一例を示す図である。
【図１３】本発明に係るテレビ放送受信装置の実施の形態２の字幕デコーダ１９０の構成例を示すブロック図である。
【符号の説明】
【００８１】
１００  アンテナ
１１０  チューナー／復調部
１２０  ＴＳデコーダ
１３０  ＣＰＵ
１４０  メモリ（ＲＯＭ／ＲＡＭ）
１５０  リモコン装置
１６０  リモコン受信部
１７０  音声デコーダ
１８０  映像デコーダ
１９０  字幕デコーダ
１９１  字幕情報解析抽出部（字幕情報解析抽出手段）
１９１ａ  符号解析部
１９１ｂ  制御情報解析抽出部
１９１ｃ  文字情報解析抽出部
１９２，１９５  字幕色変換部（字幕色変換手段）
１９３  半透明色変換テーブルメモリ
１９４  字幕情報表示制御部（字幕情報表示制御手段）
２００  音声制御部
２１０  表示制御部
３００  字幕情報
４００  半透明色変換テーブル
【図１】
2008005103.tif 000003
【図２】
2008005103.tif 000004
【図３】
2008005103.tif 000005
【図４】
2008005103.tif 000006
【図５】
2008005103.tif 000007
【図６】
2008005103.tif 000008
【図７】
2008005103.tif 000009
【図８】
2008005103.tif 000010
【図９】
2008005103.tif 000011
【図１０】
2008005103.tif 000012
【図１１】
2008005103.tif 000013
【図１２】
2008005103.tif 000014
【図１３】
2008005103.tif 000015